(57)【要約】【課題】施設内に入場する立入者の入室及び退出管理をＩＣタグワッペンを利用したセキュリティ管理システムにおいて、ＩＣタグワッペンの取り扱いと入退室管理を容易にする。【解決手段】施設内への立入者を複数に分類した分類コードと当該分類コードに対応した立ち入り可能又は禁止区域や部屋が明確に対応させており、施設内の各ドアユニットの制御手段は、当該ドアユニットにより区画された部屋への入室を許可する１又は複数の分類コードを格納したメモリを備えており、ＩＣタグの読取装置により読み取られた分類コード又は前記タグ番号が属する分類コードに基づいて前記ドア手段を開閉制御する。【選択図】図６
2008169635.tif 000002
【特許請求の範囲】
【請求項１】
複数の階、各階毎の区域又は部屋（以下、「部屋」という）を有する施設内に立ち入る従業者、滞在者又は来場者等（以下、「立入者」という）の各部屋への入退出を制限又は管理するセキュリティ管理システムであって、
前記立入者を複数に分類し、前記複数の分類を表す分類コードと当該分類コード毎に対応する一連のタグ番号を管理する管理サーバと、
前記立入者のそれぞれに装着され、前記分類コードと前記タグ番号をそのメモリ内に記録するＩＣタグを備えたＩＣタグワッペンと、
前記管理装置に接続され、前記施設内における前記立入者による入退出を制限管理すべき前記部屋の入出口に設置されるドアユニットと、を有し、
前記ドアユニットは、
前記部屋の入出口を閉鎖又は開放するドア手段と、
前記ＩＣタグ内に記録されている前記分類コード及び前記タグ番号を読み取る読取装置と、
前記読取装置により読み取られた分類コード又は前記タグ番号が属する分類コードに基づいて前記ドア手段を開閉制御する制御手段と、
を備えたことを特徴とするセキュリティ管理システム。
【請求項２】
前記ドアユニットの制御手段は、当該ドアユニットにより区画された部屋への入室を許可する１又は複数の分類コードを格納したメモリを備えており、
前記読取装置により読み取られた前記ＩＣタグの分類コードが前記メモリ内に格納された分類コードに含まれている場合に、当該ドアユニットの前記ドア手段を開放することを特徴とする請求項１に記載のセキュリティ管理システム。
【請求項３】
前記ドアユニットの制御手段は、前記読取装置により読み取られた前記ＩＣタグのタグ番号を前記管理サーバに送信し、前記管理サーバからの指令に基づいて当該ドアユニットの前記ドア手段を開放することを特徴とする請求項１に記載のセキュリティ管理システム。
【請求項４】
前記ＩＣタグワッペンには、前記立入者の分類に対応した着色が施されていることを特徴とする請求項１に記載のセキュリティ管理システム。
【請求項５】
前記管理サーバに接続され、前記立入者の分類と当該分類に対応した立ち入りが許される部屋に関する情報を表示する表示装置を備えることを特徴とする請求項１に記載のセキュリティ管理システム。
【請求項６】
前記ドアユニットは、パスワードを入力するための入力装置を備え、
当該入力装置に入力されたパスワードが、予め登録されているパスワードに一致する場合には、当該ドアユニットの前記ドア手段を開放することを特徴とする請求項２又は３に記載のセキュリティ管理システム。
【請求項７】
前記入力装置に入力されたパスワードは、前記管理サーバに転送され、当該パスワードが当該ドアユニットを開放するパスワードに一致する場合には、前記管理サーバからの指令に基づいて当該ドアユニットの前記ドア手段を開放することを特徴とする請求項６に記載のセキュリティ管理システム。
【請求項８】
前記ドアユニットの制御装置又は前記管理サーバに接続され、前記ＩＣタグワッペンを装着した立入者による前記施設内の移動を記録する移動記録管理装置を備えたことを特徴とする請求項１乃至３の何れかの項に記載のセキュリティ管理システム。
【請求項９】
前記移動記録管理装置は、前記ＩＣタグワッペン内のＩＣタグのタグ番号毎に前記立入者が立ち入った各部屋への入室又は退出の時間を経路を記録することを特徴とする請求項８に記載のセキュリティ管理システム。
【発明の詳細な説明】
【技術分野】
【０００１】
本発明は、複数の階、各階毎の区域又は部屋（以下、「部屋」という）を有する施設内に立ち入る従業者、滞在者又は来場者等（以下、「立入者」という）の各部屋への入退出を制限又は管理するセキュリティ管理システムに関する。
【背景技術】
【０００２】
病院、会社、研究施設、官庁等の各施設は、複数のフロアを有し、各フロアの面積が大きく各フロアには多数の部屋に区画されている。このような施設においては、例えば病院施設の場合、医者や看護士等の内勤者、入院患者、外来患者、物品納入業者及び面会者を含めて様々な種類の人が、当該病院施設内の立入者となる。内勤者を除く一般の立入者は、一度施設内への立ち入りが許可されると、当該施設内のあらゆるフロア、区域又は部屋に入り込む可能性が有り、例えば、病院の場合、極端な事例として、検査室や手術室にまで関係の無い者が立ち入ることとなれば診療業務の大きな妨げとなる。
【０００３】
この対策として、従来の多くは、内勤者を含む全ての立入者にバッジやワッペン等の所員証や社員証を装着させ、内勤者であることを示す写真入のバッジ等を装着していない一般の立入者に対しては、重要な区域や部屋への入口付近に配置した警備員が、各立入者をチェックしたり、一般の立入者に対しては案内役を配するようにしていたが、これらの対策は、大きな施設であるほど人件費のコスト負担が大きくなるとの課題を有していた。
【０００４】
一方、近年は、ＩＣチップ（以下、「ＩＣタグ」と呼称する）の用途が様々な分野において急速に拡大している。このＩＣタグは、アンテナ手段を介した電磁誘導による通信機能を持ち、読取装置と数メートル離れていてもデータの送受信が可能である。そして、このＩＣタグは、ＣＰＵ機能、メモリ機能、割り込み処理機能、入出力機能、及び通信機能を備えている。
【０００５】
このようなＩＣタグは、近年、商品の物流管理や販売管理の分野でその利用が拡大しているが、個人認証の手段にも使用される例が見られに至っている（例えば、特許文献１参照）。
【０００６】
そして、個人認証手段に使用されるものとしては、認証すべき個人の口腔内（例えば、歯槽骨、インプラント、歯牙等）にＩＣチップを埋め込んで使用する取り付け方法も提案されている（例えば、特許文献２参照。）。
【特許文献１】特開２００２−３４２７３７号公報
【特許文献２】特開２００４−１９５１４３号公報
【発明の開示】
【発明が解決しようとする課題】
【０００７】
しかし、このようなＩＣタグを、比較的大きな病院のようにフロアの数や部屋数の多い施設内において、実際に様々な立入者の入退室管理に応用しようとすると、医師や看護士等の内勤者だけの入退室を管理する場合とは違って、入院患者や外来患者又は面会者や業者等の様々な種類の実に多くの人に対応した入退室管理を行う必要があり、また施設内の立ち入り制限領域も多様となるため、入退室管理用のＩＣタグの数が増大し、各ＩＣタグのタグ番号（ＩＤ）毎に管理するとなると、ＩＣタグの管理のみならず各部屋への入出管理制御が複雑になり、ＩＣタグの取り扱いと管理が非常に厄介となるという課題があった。
【課題を解決するための手段】
【０００８】
上記課題を解決するために、本発明は、複数の階、各階毎の区域又は部屋を有する施設内に立ち入る従業者、滞在者又は来場者等（立入者）の各部屋への入退出を制限又は管理するセキュリティ管理システムであって、前記立入者を複数に分類し、前記複数の分類を表す分類コードと当該分類コード毎に対応する一連のタグ番号を管理する管理サーバと、前記立入者のそれぞれに装着され、前記分類コードと前記タグ番号をそのメモリ内に記録するＩＣタグを備えたＩＣタグワッペンと、前記管理装置に接続され、前記施設内における前記立入者による入退出を制限管理すべき前記部屋の入出口に設置されるドアユニットと、を有し、前記ドアユニットは、前記部屋の入出口を閉鎖又は開放するドア手段と、前記ＩＣタグ内に記録されている前記分類コード及び前記タグ番号を読み取る読取装置と、前記読取装置により読み取られた分類コード又は前記タグ番号が属する分類コードに基づいて前記ドア手段を開閉制御する制御手段と、を備えたことを特徴とするセキュリティ管理システムを提供するものである。
【０００９】
このように、本発明においては、各立入者が装着するＩＣタグワッペン内のＩＣタグに記録された分類コードに基づいて各ドアユニットの開閉制御を行なうようにしたので、各立入者に配布するＩＣタグワッペンの取り扱いや管理が容易であり、施設内に数多く設けられた立入制限区域への立入制御も間違いなく的確に行なえることを可能にしたのである。
【００１０】
ここで、前記ドアユニットの制御手段は当該ドアユニットにより区画された部屋への入室を許可する１又は複数の分類コードを格納したメモリを備えており、前記読取装置により読み取られた前記ＩＣタグの分類コードが前記メモリ内に格納された分類コードに含まれている場合に、当該ドアユニットの前記ドア手段を開放するのである。このように、分類コードと当該分類コードに対応した立ち入り可能又は禁止区域や部屋が夫々明確に対応させたのである。
【００１１】
また、前記ドアユニットの制御手段は、前記読取装置により読み取られた前記ＩＣタグのタグ番号を前記管理サーバに送信し、前記管理サーバからの指令に基づいて当該ドアユニットの前記ドア手段を開放することも可能である。この場合も、管理サーバは、前記ＩＣタグのタグ番号が何れの分類コードに属するかをチェックするだけで、各ドアユニットへの開閉指令信号を容易に出力することができるのである。
【００１２】
ところで、前記ＩＣタグワッペンには、前記立入者の分類に対応した着色が施すようにする。これにより、ＩＣタグワッペンの色に基づいて、当該立入者が何れの区域の部屋に立ち入り可能かを視覚的にも把握することができるのである。
【００１３】
さらに、本セキュリティ管理システムは、前記管理サーバに接続され、前記立入者の分類と当該分類に対応した立ち入りが許される部屋に関する情報を表示する表示装置を施設内の入口や各所に備えるようにしている。これにより、各立入者は、当該表示装置を見ることによって自己が立ち入ることができる区域を視覚的に確認できるのである。
【００１４】
また、前記ドアユニットは、パスワードを入力するための入力装置を備え、当該入力装置に入力されたパスワードが、予め登録されているパスワードに一致する場合には、当該ドアユニットの前記ドア手段を開放するようにする。これにより、限られた内勤者のみが、緊急に本来その入室が制限されている区域や部屋に入ることを可能にするのである。
【００１５】
このため、前記入力装置に入力されたパスワードは、前記管理サーバに転送され、当該パスワードが当該ドアユニットを開放するパスワードに一致する場合には、前記管理サーバからの指令に基づいて当該ドアユニットの前記ドア手段を開放するのである。
【００１６】
本セキュリティ管理システムは、さらに、前記ドアユニットの制御装置又は前記管理サーバに接続され、前記ＩＣタグワッペンを装着した立入者による前記施設内の移動を記録する移動記録管理装置を備える。これにより、前記ＩＣタグワッペン内のＩＣタグのタグ番号毎に当該立入者が立ち入った各部屋への入室又は退出の時間を経路は全て記録され、問題等が生じた際に確認することを可能にしたのである。
【発明の効果】
【００１７】
以上説明したように、施設内への立入者を複数に分類した分類コードと当該分類コードに対応した立ち入り可能又は禁止区域や部屋が明確に対応させており、施設内の各ドアユニットの制御手段は、当該ドアユニットにより区画された部屋への入室を許可する１又は複数の分類コードを格納したメモリを備えており、ＩＣタグの読取装置により読み取られた分類コード又は前記タグ番号が属する分類コードに基づいて前記ドア手段を開閉制御するので、各立入者に配布するＩＣタグワッペンの取り扱いや管理が容易であり、施設内に数多く設けられた立入制限区域への立入制御も間違いなく的確に行なえることを可能にしたのである。
【発明を実施するための最良の形態】
【００１８】
以下、本発明のセキュリティ管理システムの最良の実施形態について、図面を参照しつつ詳細に説明する。
【００１９】
図１は、本発明の第１の実施形態に係るセキュリティ管理システムの全体構成を示す構成図である。図１において、本実施形態のセキュリティ管理システムは、立入者に携帯させるＩＣタグ付きのＩＣタグワッペン１と、部屋の入口又はドア（以下、「ドア」という）付近に設置され、後述するＩＣタグ１１に記録されている情報を検証して該部屋のドアを開閉する１以上のドアユニット２と、立入者に携帯させるＩＣタグワッペン１の種類を判別する受付１０と、ＩＣタグワッペン１の裏面に貼り付けられたＩＣタグ１１と、を備えて構成される。
【００２０】
ドアユニット２は、ＩＣタグ１１に記録されている情報を読み取るＩＣタグリーダー２１と、ＩＣタグリーダー２１が読み取ったＩＣタグ１１の記録情報に基づいて部屋のドアの開閉を判定して開閉指示を指令する制御装置２２と、制御装置２２の開閉指示に基づいて部屋のドアを開閉するドア開閉装置２３とを、備える。
【００２１】
ドア開閉装置２３が開閉するドアは、立入者の通過が途絶えて所定の一定時間が経過した時には自動的に閉じられる構成とすることが望ましいが、但し、この場合、所定の一定時間が経過した時でも立入者が通過中は閉じられないようにするとよい。
【００２２】
施設内の受付箇所には、立入者の分類と該分類に対応した入場許可施設等の情報、及び当該立入者に携帯させるＩＣタグワッペン１に関する情報を表示する表示装置１０１を備える。また、本システムは、立入者の入退室の履歴を記録するための移動記録管理装置を備える。
【００２３】
ＩＣタグ１１には事前に読み出し可能なＩＣタグ番号を記録するものとする。ＩＣタグ１１は、接触型ＩＣタグと非接触型ＩＣタグのいずれであっても構わない。ＩＣタグワッペン１は、入退室管理上の分類に対応した着色を施すようにしている。そして、ドアユニット２は、施設内における主要な施設（部屋等）への入退室に使用される入口毎に設置されるものとする。
【００２４】
以下、本実施形態のセキュリティ管理システムの動作を説明する。
【００２５】
受付１０の表示装置１０１には、常時（または立入者が現れた時に）、当該立入者の分類と該分類に対応した入場許可施設等の情報と、当該立入者に携帯させるＩＣタグワッペン１に関する情報とが表示される（図４参照）。
【００２６】
受付１０の担当者は、当該立入者に質問することで当該立入者の入退室管理上の分類を確認すると共に、受付用表示装置１０１の表示を視認して、当該立入者に携帯させるＩＣタグワッペン１を選択し、当該立入者に手渡しする。
【００２７】
当該立入者は、入室を希望する施設（部屋等）の入口付近まで来ると、自己が携帯するＩＣタグワッペン１に記録されているＩＣタグ１１の記録情報を、当該施設の入口に設置されているドアユニット２のＩＣタグリーダー２１に読み取らせる。
【００２８】
ドアユニット２のＩＣタグリーダー２１は、当該立入者が携帯するＩＣタグワッペン１のＩＣタグ１１に記録されている情報を読み取った時に、該情報を制御装置２２に送出する。
【００２９】
制御装置２２は、前記読み取られたＩＣタグ１１の記録情報を判定し、この判定結果に応じて、当該施設の扉ドアを開閉する指示を、ドア開閉装置２３に送出する。尚、移動記録管理装置が設置されているシステム構成の場合は、制御装置２２は、前記ドアの開閉指示を送出した後、当該開閉指示を記録するための情報を移動記録管理装置に送信する。そして、ドア開閉装置２３は、前記開閉指示に基づいて、当該施設のドアを開閉する。
【００３０】
図２は、本発明の第１の実施形態に係るセキュリティ管理システムの制御装置２２の構成を示す構成図である。図２に示す制御装置２２は、ＩＣタグリーダー２１から送出されるＩＣタグ１１の記録情報を受け取る受信部２２１と、受け取ったＩＣタグ１１の記録情報（分類コード及びＩＣタグ番号）と後述する記憶部２２３の記憶情報とを照合して、当該施設のドアの開閉指示の判定を下す判定部２２２と、当該施設のドアの開閉指示を判定するために必要な情報を記録する記憶部２２３と、判定部２２２の開閉指示信号をドア開閉装置２３（図１）に送出する送信部２２４と、を備える。
【００３１】
記憶部２２３には、当該施設の当該ドアを介して立入者を入退室させることができる立入者の分類コード又は各分類コードに対応したＩＣタグ番号を示す情報等が記録されている。判定部２２２は、この記憶部２２３に記録されている分類コードが、当該区域又は部屋に立ち入り可能な分類コード一致しているかを照合し、一致が取れれば、当該ドアを開く指示信号を送信部２２４に送出し、一致が取れなければ当該ドアを閉じる（ロックする）指示信号を送信部２２４に送出しこの指示信号を、送信部２２４を介してドア開閉装置２３に送出させる。
【００３２】
また、立入者の入退室履歴として記録される情報（ドアユニット番号及びＩＣタグ番号を含む）を記憶部２２３に送出して記録させる。
【００３３】
尚、前述の移動記録管理装置が設置されている場合は、前記の立入者の入退室履歴として記録される情報を、送信部２２４にも送出し、この情報を、送信部２２４を介して移動記録管理装置にも送出させる。
【００３４】
図３は、本発明の第１の実施形態に係るセキュリティ管理システムが適用される施設の構成を示す構成図である。図３において、符号２ａ，２ｂ，２ｃ，２ｄは、それぞれドアユニット２（図１参照）が設置されている場所を示している。また、符号２ａは病棟の入口を示し、符号２ｂ，２ｃは、それぞれ病室の入口を示し、符号２ｄは電磁波等を使用する診断室の入口を示している。
【００３５】
符号２ｄで示される場所に設置されるドアユニット２については、この施設を使用した診断が行われる場合（或いは行われている場合）は、予め判定部２２２に診断中を示す信号が送出され、判定部２２２は、前記照合結果に依らず、当該施設のドアを閉じる（ロックする）指示信号を送信部２２４に送出するものとする。
【００３６】
図４は、本発明の第１の実施形態に係るセキュリティ管理システムの受付用表示装置１０１に表示される情報の１例を示す説明図である。図４に示すＩＣタグ１１のデータ構成は、立入者の分類の種類として、「内勤者」、「入院患者」、「面会者」及び「業者」の各分類が記録されている。当然のことながら、「内勤者」、「入院患者」、「面会者」及び「業者」の種別毎に異なる分類コードを設定することにより、各区域又は部屋毎のより細分化された入室及び退室管理をすることが可能である。
【００３７】
ところで、図４の例では、立入者の分類に対応する分類コードとして、「ＡＢ１１」、「ＣＤ２２」、「ＥＦ３３」及び「ＧＨ４４」、各分類コードに対応するＩＣタグ番号として、「１〜１０００」、「２０００〜３０００」、「４０００〜５０００」、「６０００〜７０００」の各データが記録され管理される。また、これらの分類コードに対応するＩＣタグ１１の着色として、「白」、「赤」、「青」、「黄」の各色指定が記録されている。
【００３８】
尚、受付１０の担当者は、口頭で問い合わせた当該立入者からの回答内容と、前記の各記録とを照合して、当該立入者に携帯させるＩＣタグ１１を選択し、当該立入者に手渡すこととなる。
【００３９】
図５は、本発明の第１の実施形態に係るセキュリティ管理システムにおける制御装置２２のドア開閉判定動作を示すフローチャートである。以下、図１乃至４を参照しつつ、図５に示すフローチャートを使用して、制御装置２２のドア開閉判定動作を説明する。
図５において、まず、制御装置２２の判定部２２２は、ＩＣタグリーダー２１を介してＩＣタグ１１の記録情報が読み込まれたか否かを検証し、ＩＣタグリーダー２１を介してＩＣタグ１１の記録情報が読み込まれるまで待機すると共に、ＩＣタグリーダー２１を介してＩＣタグ１１の記録情報が読み込まれた場合はステップＳ２に進む（ステップＳ１）。
【００４０】
ステップＳ２では、判定部２２２は、ＩＣタグリーダー２１を介して読み込まれたＩＣタグ１１の記録情報（分類コードとＩＣタグ番号）を入力して簡単にアクセスできるようにする。
【００４１】
次に、判定部２２２は、ＩＣタグ１１の記録情報（分類コードとＩＣタグ番号）と、記憶部２２３に記憶されている分類コード又は当該ＩＣタグ番号が属する分類コードとを照合して、両者の一致が取れるか否かを検証し、前記両者の一致が取れる場合はステップＳ４に進み、前記両者の一致が取れない場合はステップＳ７に移る（ステップＳ３）。
【００４２】
ステップＳ４では、判定部２２２は、当該ドアを開く指示信号を送信部２２４に送出する（なお、送信部２２４は、この指示信号をドア開閉装置２３に送信する）。そして、判定部２２２は、立入者の入退室履歴として記録すべき情報を記憶部２２３に送出する（ステップＳ５）。
【００４３】
次に、判定部２２２は、移動管理記録装置が設置されている場合、前記の立入者の入退室履歴として記録すべき情報を、送信部２２４にも送出し、ステップＳ１に戻る（ステップＳ６）。なお、送信部２２４は、この入退室履歴情報を移動管理記録装置に送信する。尚、移動管理記録装置が設置されていない場合は、ステップＳ６は実行せず、ステップＳ５の完了を待ってステップＳ１に戻る。
【００４４】
ステップＳ７では、判定部２２２は、当該ドアを閉じる（ロックする）指示信号を送信部２２４に送出する（なお、送信部２２４は、この指示信号をドア開閉装置２３に送信する）。
【００４５】
ところで、図５で示す動作以外に、予め判定部２２２に診断中を示す信号が送出されている場合は、判定部２２２は、前記照合結果に依らず、当該施設のドアを閉じる（ロックする）指示信号を送信部２２４に送出するものとする。
【００４６】
図６は、本発明の第２の実施形態に係るセキュリティ管理システムの全体構成を示す構成図である。図６の説明においては、図１（本発明の第１の実施形態）と重複する部分には同一の符号を附して詳細な説明は省略する。
図６において、本実施形態のセキュリティ管理システムは、立入者に携帯させるＩＣタグワッペン１と、ＩＣタグワッペン１の裏面に貼り付けられたＩＣタグ１１と、立入者の分類に応じてＩＣタグワッペン１の種類を判別する受付１０と、部屋の扉付近に設置され、後述するＩＣタグ１１に記録されている情報を読み取って後述する管理サーバ４に送信すると共に、その応答に従って当該部屋のドアを開閉する１以上のドアユニット３と、複数のドアユニット３と相互に通信し、部屋のドアの開閉を判断した判定結果を送信する管理サーバ４と、を備えて構成される。
【００４７】
ドアユニット３は、ＩＣタグ１１に記録されている情報を読み取るＩＣタグリーダー３１と、ＩＣタグリーダー３１が読み取ったＩＣタグ１１の記録情報を受け取って管理サーバ４に送信する送信器３２と、管理サーバ４の指令に基づいて部屋のドアを開閉するドア開閉装置３３と、を備える。
【００４８】
ドア開閉装置３３が開閉するドアは、立入者の通過が途絶えて所定の一定時間が経過した時には自動的に閉じられる構成とすることが望ましいが、但し、この場合、所定の一定時間が経過した時でも立入者が通過中は閉じられない構成とすることが必要である。
【００４９】
ＩＣタグワッペン１は、入退室管理上の分類に対応した着色が可能である。
【００５０】
ドアユニット３は、施設内における主要な施設（部屋等）の、入退室に使用される入口毎に設置されるものとする。
【００５１】
以下、本実施形態のセキュリティ管理システムの動作を説明する。
受付１０の受付用表示装置１０１は、当該立入者の分類と、該分類に対応した入場許可施設等の情報と、当該立入者に携帯させるＩＣタグワッペン１に関する情報（ここでは、ＩＣタグワッペン１の着色）とが表示される。
【００５２】
受付１０の担当者は、当該立入者に質問することで当該立入者の入退室管理上の分類を確認すると共に、受付用表示装置１０１の表示を視認して、当該立入者に携帯させるＩＣタグワッペン１を選択し、当該立入者に手渡しする。
【００５３】
当該立入者は、入室を希望する施設（部屋等）の入口付近まで来ると、自己が携帯するＩＣタグワッペン１に記録されているＩＣタグ１１の記録情報を、当該施設の入口に設置されているドアユニット３のＩＣタグリーダー３１に読み取らせる。周知のとおり、この読み取らせのために必要な操作は、ＩＣタグ１１が接触型であるか、それとも非接触型であるかによって異なる。
【００５４】
ドアユニット３のＩＣタグリーダー２１は、当該立入者が携帯するＩＣタグワッペン１のＩＣタグ１１に記録されている情報を読み取った時に、該情報を送信器３２に送出する。送信器３２は、前記読み取られたＩＣタグ１１の記録情報及び当該ドアユニット３の機番とを管理サーバ４に送信する。
【００５５】
管理サーバ４は、前記送信されたＩＣタグ１１の記録情報及び当該ドアユニット３の機番とを受信して、後述する入退出管理情報データベース（ＤＢ１）（図７）に記憶されている照合用情報（図８）と照合することで、この受信内容を判定し、この判定結果に応じて、当該施設のドアを開閉する指示を、ドア開閉装置３３に送出する。尚、管理サーバ４は、前記ドアの開閉指示を送出した後、当該開閉指示を記録するための情報を後述する入退室管理情報データベース（ＤＢ１）（図７参照）の他の領域に記録するものとする。そして、ドア開閉装置３３は、管理サーバ４からの前記指示を受信する手段を備え、前記開閉指示に基づいて、当該施設のドアを開閉するのである。
【００５６】
図７は、本発明の第１の実施形態に係るセキュリティ管理システムの管理サーバ４の１構成例を示す構成図である。
図７に例示する管理サーバ４は、本装置全体を制御するＣＰＵ４１と、ＣＰＵ４１が実行する制御プログラム、処理プログラム、及びＣＰＵ４１が使用するデータ等を格納するＲＡＭ４２と、施設内ＬＡＮに対応した通信プロトコルを備えてドアユニット３（図６）と相互に通信する通信処理部４３と、後述する入退室管理情報データベース（ＤＢ１）を制御する記憶装置制御部４４と、ドアユニット３から送信されたＩＣタグ１１の記録情報を高速アクセス可能な媒体に記憶するＩＣタグ情報記憶部４５と、ドアユニット３から送信されたＩＣタグ１１の記録情報及び入退室管理情報データベース（ＤＢ１）が記憶する照合用情報（図８参照）等を表示する表示装置４６と、前記照合用情報と入退室履歴情報とを記録する入退室管理情報データベース（ＤＢ１）と、を備える。尚、施設内案内装置（例えば、通過する経路の案内装置や放送装置等）が設置されている場合は、この構成の他に、施設内案内制御装置４７を備えるものとする。
【００５７】
ＣＰＵ４１は、本装置内の各構成要素を制御する制御部４１１と、ドアの開閉を判定する判定部４１２と、を備える。また、入退室管理情報データベース（ＤＢ１）には、判定部４１２がドアの開閉を判定する際に照合される照合用情報（図８参照）が格納されている。
【００５８】
判定部４１２は、ドアユニット３から送信されたＩＣタグ１１の記録情報等について、入退室管理情報データベース（ＤＢ１）が記憶する照合用情報（図８参照）と照合することにより、ドアの開閉を判定する。より具体的には、入退室管理情報データベース（ＤＢ１）には、ＩＣタグ１１に記録されているＩＣタグ番号の分類と、この分類に対応して施設への入室を許可するドアユニットの機番が記録されており、判定部４１２は、ドアユニット３から送信されたＩＣタグ１１の記録情報とドアユニットの機番とについて、この照合用情報（図８参照）と照合して、当該施設の入口のドアの開閉を判定するが、この判定処理の詳細については、フローチャート（図９）を参照して後述する。そして、判定部４１２は、立入者の入退室履歴として記録される情報を入退室管理情報データベース（ＤＢ１）に記録する。
【００５９】
図８は、本発明の第２の実施形態に係るセキュリティ管理システムの管理サーバ４が備える入退室管理情報データベース（ＤＢ１）に記録されている照合用情報の１例としてのデータ構成を示す構成図である。
図８に示す照合用情報のデータ構成は、分類コードと、各分類コードに属するＩＣタグ番号（即ちＩＣタグ１１の識別番号）と、この分類に対応して入室が許可される施設の入口に設置されているドアユニットの機番ＩＤ（ドアユニットＩＤ）とが記録されている。図８では、立入者の分類に対応する分類コードとして、「ＡＢ１１」、「ＣＤ２２」、「ＥＦ３３」及び「ＧＨ４４」、各分類コードに対応するＩＣタグ番号として、「１〜１０００」、「２０００〜３０００」、「４０００〜５０００」、「６０００〜７０００」の各データの他に、各分類コードに対応するドアユニットの機番ＩＤとして「ドアユニット１，２，３，４，７」、「ドアユニット２，３，５」、「ドアユニット１，２，３，５」、「ドアユニット１，７」が記録されている。
【００６０】
図９は、本発明の第２の実施形態に係るセキュリティ管理システムにおける管理サーバ４のドア開閉判定動作を示すフローチャートである。以下、図６乃至８を参照しながら、図９に示すフローチャートに基づいて、管理サーバ４のドア開閉判定動作を説明する。
まず、管理サーバ４の判定部４１２は、通信処理部４３を介してＩＣタグ１１の記録情報が読み込まれたか否かを検証し、通信処理部４３を介してＩＣタグ１１の記録情報（分類コードとＩＣタグ番号）が読み込まれるまで待機すると共に、通信処理部４３を介してＩＣタグ１１の記録情報が読み込まれた場合はステップＳ２２に進む（ステップＳ２１）。
【００６１】
ステップＳ２２では、判定部４１２は、同じく通信処理部４３を介して受信したドアユニット３の機番を入力情報記憶部１５に記憶する。
【００６２】
次に、判定部４１２は、通信処理部４３を介して読み込まれたＩＣタグ１１の記録情報（分類コードとＩＣタグ番号）を入力して入力情報記憶部４５に記憶する。そして、判定部４１２は、入力情報記憶部４５に記憶されているＩＣタグ１１の記録情報（即ちＩＣタグ番号）と、同じく入力情報記憶部４５に記憶されているドアユニット３の機番ＩＤとを、入退室管理情報データベース（ＤＢ１）に格納されている照合用情報と照合する（ステップＳ２４）。
【００６３】
次に、判定部４１２は、前記両者の一致が取れるか否かを検証し、前記両者の一致が取れる場合はステップＳ２６に進み、前記両者の一致が取れない場合はステップＳ２８に移る（ステップＳ２５）。ステップＳ２６では、判定部４１２は、当該ドアを開く指示信号を通信処理部４３に送出する（なお、通信処理部４３は、この指示信号を前記機番を有するドア開閉装置３３に送信する）。
【００６４】
さらに、判定部４１２は、立入者の入退室履歴として記録すべき情報（即ち、移動記録情報）を入退室管理情報データベース（ＤＢ１）の他の領域に記録する（ステップＳ２７）。
【００６５】
ステップＳ２８では、判定部４１２は、当該ドアを閉じる（ロックする）指示信号を通信処理部４３に送出する。尚、通信処理部４３は、この指示信号を前記機番を有するドア開閉装置３３に送信する。
【００６６】
図９で示す動作以外に、予め管理サーバ４に診断中を示す信号が送出されている場合は、判定部４１２は、前記照合結果に依らず、当該施設のドアを閉じる（ロックする）指示信号を通信処理部４３に送出する（なお、通信処理部４３は、この指示信号を前記機番を有するドア開閉装置３３に送信する）。
【００６７】
ところで、前述の第２の実施形態に係るドア開閉装置３３が備える受信器を、ドア開閉装置３３の外に出す構成とすることも可能である。また、前記のＩＣタグワッペン１は、必ずしもワッペンにＩＣタグ１１を貼り付けた構成である必要は無く、他の携帯可能な小物にＩＣタグ１１を貼り付けるか、若しくは付帯させた構成であってもよい。
【００６８】
また、本発明に係るセキュリティ管理システムの各構成要素の処理の少なくとも一部をコンピュータ制御により実行するものとし、かつ、上記処理を、図５，９のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して実行するようにしてもよい。
【００６９】
以上詳しく説明したように、本セキュリティ管理システムにおいては、施設内への立入者を複数に分類した分類コードと当該分類コードに対応した立ち入り可能又は禁止区域や部屋が明確に対応させており、施設内の各ドアユニットの制御手段は、当該ドアユニットにより区画された部屋への入室を許可する１又は複数の分類コードを格納したメモリを備えており、ＩＣタグの読取装置により読み取られた分類コード又は前記タグ番号が属する分類コードに基づいて前記ドア手段を開閉制御するのである。
【産業上の利用可能性】
【００７０】
本発明は、部屋数の多い施設において、内勤者も含む立入者の入退室を的確に制限管理できるセキュリティ管理システムを構築するものであり、産業上の利用可能性を有する。
【図面の簡単な説明】
【００７１】
【図１】本発明の第１の実施形態に係るセキュリティ管理システムの全体構成を示す構成図である。
【図２】本発明の第１の実施形態に係るセキュリティ管理システムの制御装置２２の構成を示す構成図である。
【図３】本発明の第１の実施形態に係るセキュリティ管理システムが適用される施設の構成を示す構成図である。
【図４】本発明の第１の実施形態に係るセキュリティ管理システムの受付用表示装置１０１に表示される情報の１例を示す説明図である。
【図５】本発明の第１の実施形態に係るセキュリティ管理システムにおける制御装置２２のドア開閉判定動作を示すフローチャートである。
【図６】本発明の第２の実施形態に係るセキュリティ管理システムの全体構成を示す構成図である。
【図７】本発明の第１の実施形態に係るセキュリティ管理システムの管理サーバ４の１構成例を示す構成図である。
【図８】本発明の第２の実施形態に係るセキュリティ管理システムの管理サーバ４が備える入退室管理情報データベース（ＤＢ１）に記録されている照合用情報の１例としてのデータ構成を示す構成図である。
【図９】本発明の第２の実施形態に係るセキュリティ管理システムにおける管理サーバ４のドア開閉判定動作を示すフローチャートである。
【符号の説明】
【００７２】
１  ＩＣタグワッペン
２  ドアユニット（実施形態１）
３  ドアユニット（実施形態２）
４  管理サーバ
５  施設内案内装置
１０  受付
１１  ＩＣタグ
２１、３１  ＩＣタグリーダー
２２  制御装置
２３、３３  ドア（ドア開閉装置）
３２  送信器
４１  ＣＰＵ
４３  通信処理部
４５  入力情報記憶部
４６  表示装置
４７  施設内案内制御部
２２１  受信部
２２２，４１２  判定部
２２３  記憶部
２２４  送信部
４１１  制御部
１０１  受付用表示装置
ＤＢ１  入退出管理情報データベース
【図１】
2008169635.tif 000003
【図２】
2008169635.tif 000004
【図３】
2008169635.tif 000005
【図４】
2008169635.tif 000006
【図５】
2008169635.tif 000007
【図６】
2008169635.tif 000008
【図７】
2008169635.tif 000009
【図８】
2008169635.tif 000010
【図９】
2008169635.tif 000011